(57)【特許請求の範囲】
【請求項１】
無端状ゴム弾性体中に一定ピッチをもって埋設された芯金と、この芯金を外囲いしてなる抗張体と、この芯金間に形成したスプロケット係合孔とよりなり、芯金より伸びる一対の主角部とこの主角部の左右外側に芯金より伸びる補助角部が形成されたゴムクロ−ラの構造であって、補助角部と主角部間に存在するゴム弾性体の補助角部の内側の根元に凹み部を形成し、補助角部と主角部間を転動する転輪の輪体とゴムクロ−ラとが相対的に傾いた際、ゴムクロ−ラと接触する側の輪体の外縁部が凹み部内に嵌り込んでなることを特徴とする脱輪性能を改善したゴムクロ−ラの構造。
【請求項２】
凹み部がゴム弾性体の長手方向に連続する請求項第１項記載の脱輪性能を改善したゴムクロ−ラの構造。
【発明の詳細な説明】
【０００１】
【産業上の利用分野】
本発明はゴムクロ−ラの構造に関し、更に詳しくは脱輪性能を改善したゴムクロ−ラの構造に係るものである。
【０００２】
【従来の技術】
近年、ゴムクロ−ラは各種機械の走行部に広く使用されており、通常のゴムクロ−ラは無端状ゴム弾性体中に一定ピッチをもって芯金が埋設されており、これを外囲いしてスチ−ルコ−ドが巻き掛けされている。そしてゴム弾性体の外周側にゴムラグが、内周側には芯金より一対の主角部が突出されており、この主角部をまたいで機体に備えられたいわゆる外転輪が転動するものであり、この両者との係合によってゴムクロ−ラの脱輪防止が図られる。
【０００３】
しかるに、傾斜地走行時、或いは旋回時等にあっては、芯金がゴム弾性体中で横方向に大きくずれることになり、この状態で更に走行を続けると、主角部と外転輪との係合が外れ、いわゆる脱輪の発生が起こりここに走行が不可能となってしまう。特に建設機械や土木作業機械の走行部に供されるゴムクロ−ラは極めて重量が重く、このため脱輪したゴムクロ−ラを元の位置に嵌め直すことは容易ではない。
【０００４】
実開昭５０−９９６２８号公報や特開昭５５−８７６６７号公報には、この脱輪を防止するためのゴムクロ−ラ及び芯金が提案されている。ここに提案されている技術は、芯金に形成した一対の主角部に対しこれよりも更に外側に補助角部を形成し、この角部間に外転輪の輪体が嵌り込んで転動するように設計され、前記したような傾斜地等の走行時の脱輪を防止するものである。
【０００５】
図４に示すものは従来の構造のゴムクロ−ラと外転輪との関係を示すものである。ゴムクロ−ラ１０にあってはゴム弾性体１１中に芯金２０が一定ピッチをもって埋設されており、主として左右の翼部２１、２１がゴム弾性体１１中に埋設され、芯金２０の中央はスプロケットとの係合部２２であり、この係合部２２をはさんで一対の主角部２３、２３を翼部２１、２１に備えたものである。一方、外転輪３０には一対の主角部２３、２３をまたいで輪体３１、３１が形成され、この輪体３１、３１がゴムクロ−ラ１０の内周面上を転動することとなる。
しかるに、傾斜面走行時や小石等に乗り上げた際、図４に示すようにゴムクロ−ラ１０と外転輪３０とは相対的に離反し、このため、図示するように主角部２３と輪体３１との係合が外れ、この状態で走行を続けるとゴムクロ−ラ１０が脱輪してしまう。
【０００６】
このため、前記した既発明にあっては、図５に示すように芯金２０に補助角部２４、２４を形成してゴムクロ−ラ１０の内周面より突出しておき、外転輪２０とゴムクロ−ラ１０との間に相対的に離反して主角部２３、２３と輪体３１との離反が生じた場合でも、輪体３１の外縁部３１０ が補助角部２４との係合は外れることなく、このため、外転輪３０と補助角部２４との係合は外れず、脱輪の発生を低減させることとなるのである。
【０００７】
しかるに、図５に示すような既発明にあっては、一般的にこの補助角部の背丈が高いほど外転輪との係合がよくなり脱輪をより防止できることとなるが、特に鍛造で芯金を作る場合には鍛造工程が増加し、コストアップを招くこととなる。又、鋳造で作る場合には製造工程上は問題はないが、芯金の重量の増加は避けることができず、これ又コストアップの要因となる。
従って、ゴムクロ−ラにおける補助角部はなるべく低くかつ小さくすることが求められるが、これが限度を越えて小さくなると外転輪との係合は十分でなく、脱輪性能の低下を招くこととなる。
【０００８】
【発明が解決しようとする課題】
本発明は以上の欠点を解決するものであって、補助角部をできるだけ低くするが、脱輪性能を改善したゴムクロ−ラの構造を提供することを目的とするものである。
【０００９】
【課題を解決するための手段】
本発明は上記目的を達成するためになされたものであって、その要旨は、無端状ゴム弾性体中に一定ピッチをもって埋設された芯金と、この芯金を外囲いしてなる抗張体と、この芯金間に形成したスプロケット係合孔とよりなり、芯金より伸びる一対の主角部とこの主角部の左右外側に芯金より伸びる補助角部が形成されたゴムクロ−ラの構造であって、補助角部と主角部間に存在するゴム弾性体の補助角部の内側の根元に凹み部を形成し、補助角部と主角部間を転動する転輪の輪体とゴムクロ−ラとが相対的に傾いた際、ゴムクロ−ラと接触する側の輪体の外縁部が凹み部内に嵌り込んでなるゴムクロ−ラの構造であって、凹み部は場合によってはゴム弾性体の長手方向に連続するものであってもよい。
【００１０】
【作用】
図５に示す既発明のゴムクロ−ラにあっては、主角部２３と補助角部２４間のゴム１１０ は、ゴムクロ−ラの耐久性を確保するために或程度以上は薄くすることはできず、このため補助角部２４の実質的高さＨ０ は実際の高さＨよりもゴム１１０ の厚さｔ分だけ低いものとなってしまうのが一般的であった。
【００１１】
しかるに、本発明のゴムクロ−ラの構造にあっては、補助角部２４の内側の根元に予め凹み部を形成しておくものである。このため、外転輪３０の輪体３１の外縁部３１０ がこの凹み部内に入り込み、この分だけ外転輪３０の位置が実質的に芯金２０に接近することとなり、この分だけ補助角部２４と外転輪３０との係合が深くなり脱輪が防止されることとなるのである。この凹み部は補助角部２４の主角部２３側（内側）の根元に形成するものであって、これが独立した凹み部であっても連続した凹み部であってもよいことは勿論である。又、この凹み部のゴムクロ−ラの幅方向の断面形状は、Ｖ字状、円状、台形状であってもよい。この凹み部の開口幅Ｗは、主角部２３と補助角部２４間の幅Ｗ０ の約１／５〜１／２、好ましくは１／４〜１／３程度にすることがよく、この幅Ｗ０ を広く取り過ぎるとこの部位のゴム弾性体１１の劣化が促進されてゴムクロ−ラ１０の寿命を縮めることとなってしまう。
【００１２】
【実施例】
以下、本発明を図面をもって更に詳細に説明する。
図１は本発明のゴムクロ−ラ１０の平面図、図２はその幅方向断面図、図３はその一部拡大断面図である。図中、１１はゴムクロ−ラ１０を構成しているゴム弾性体であり、紙面の表裏方向に連続している。１２はゴムラグである。２０はこのゴム弾性体１１中に長手方向に一定ピッチをもって埋設される芯金であって、この芯金２０はゴム弾性体１１中に埋設される左右の翼部２１、２１と、その中央部のスプロケットとの係合部２２と、この係合部２２をはさんで一対の主角部２３、２３が形成されている。そして、この主角部２３、２３の左右側に翼部２１、２１より伸びる補助角部２４、２４が形成され、これら角部２３、２４はゴムクロ−ラ１０の内周面より内側に突出するものである。ゴム弾性体１１はこの角部２３、２４間の内周面を覆うものであり、このゴム弾性体１１０ 上を外転輪３０が転動することとなる。
【００１３】
本発明は、このゴム弾性体１１０ における補助角部２４の内側の根元に連続した凹み部２５を形成したものである。この例では凹み部２５の断面形状はＶ字状としたものである。点線で示した転輪３０は傾斜地等の走行に供された際に外転輪３０の一方が浮き上がってしまった例である。
即ち、図３で特に示すようにゴムクロ−ラ１０の内周面と接触している外転輪３０の外縁部３１０ は補助角部２４の内側の根元に形成した凹み部２５に沈み込むように入り込んで係合するものであり、脱輪の低減効果は著しい。
尚、図示はしないが、凹み部２５に対応して芯金２０の翼部２１に凹みを形成することも可能である。図中、２６はスチ−ルコ−ドである。
【００１４】
【発明の効果】
本発明のゴムクロ−ラの構造は、補助角部の内側の根元に凹み部に形成したもので、この凹み部内に外転輪の輪体の外縁部が入り込み、この分だけ外転輪の位置が芯金に接近して補助角部と外転輪との係合が深くなり脱輪が防止される。
【図面の簡単な説明】
【図１】  図１は本発明のゴムクロ−ラの平面図である。
【図２】  図２は図１のゴムクロ−ラの幅方向断面図である。
【図３】  図３は図２の部分拡大断面図である。
【図４】  図４は従来のゴムクロ−ラの断面図である。
【図５】  図５は実開昭５０−９９６２８号公報等に開示されたゴムクロ−ラの断面図である。
【符号の説明】
１０‥‥ゴムクロ−ラ、
１１‥‥ゴム弾性体、
１１０ ‥‥角部間のゴム弾性体、
１２‥‥ゴムラグ、
２０‥‥芯金、
２１‥‥翼部、
２２‥‥スプロケットの係合孔、
２３‥‥主角部、
２４‥‥補助角部、
２５‥‥凹み部、
２６‥‥スチ−ルコ−ド、
３０‥‥外転輪、
３１‥‥輪体、
３１０ ‥‥輪体の外縁部、
ｔ‥‥ゴム弾性体１１０ の厚さ、
Ｈ‥‥補助角部の高さ、
Ｈ０ ‥‥補助角部のゴム内周面からの高さ、
Ｗ‥‥凹み部の幅、
Ｗ０ ‥‥角部間の幅。
【図１】
0003636763.tif 000002
【図２】
0003636763.tif 000003
【図３】
0003636763.tif 000004
【図４】
0003636763.tif 000005
【図５】
0003636763.tif 000006